(57)【要約】【課題】簡単な構成により、介装部材をキャビネットの上面周縁に容易に位置決めしたシステム家具を提供する。【解決手段】キャビネット１１ａとカウンター１２との間でキャビネット１１ａの上面周囲に沿って外側から視認できるように配置した介装部材１５を備えるシステム家具、例えばシステムキッチン１０であって、介装部材１５が下面に位置決め部１５ａを備え、位置決め部１５ａがキャビネット１１ａの上縁に当接するように介装部材１５ａを配置する。【選択図】図３
2008178560.tif 000002
【特許請求の範囲】
【請求項１】
キャビネットと、キャビネットの上に配設したカウンターと、外側から視認できるように上記キャビネットと上記カウンターとの間で上記キャビネットの上面周囲に沿って配置した介装部材と、を備えたシステム家具であって、
上記介装部材が下面に位置決め部を備えていて、
上記位置決め部が上記キャビネットの上縁に当接していることを特徴とする、システム家具。
【請求項２】
前記位置決め部が凸部で成っていて可撓性を有することを特徴とする、請求項１に記載のシステム家具。
【請求項３】
外側から視認される前記介装部材の表面領域が分離可能な別体として構成されていることを特徴とする、請求項１又は２に記載のシステム家具。
【発明の詳細な説明】
【技術分野】
【０００１】
本発明は、キャビネット及びこのキャビネットの上部に載置するカウンターなどの構成部品を組み立てることで構成されるシステム家具に係り、さらに詳しくは、キャビネットとカウンターとの間に少なくとも一部が外側から視認できるように配置した介装部材を備えるシステム家具に関する。
【背景技術】
【０００２】
複数のキャビネットやカウンターなどの構成部品（ユニット）を設置場所で組み立てるようにしたシステム家具が知られており、このようなシステム家具の一つとして、例えば台所用品を収納する複数個のキャビネットと、加熱調理器やシンクを配設していて上記キャビネットの上部に載置固定されるカウンターとで構成したシステムキッチンが広く普及している。特許文献１及び２に示すシステムキッチンは、キャビネットの上部でカウンターを確実に保持する目的で或いはカウンターを補強する目的で、キャビネットとカウンターとの間に配置した、断面が例えば長方形状の角材で成る介装部材が開示されている。このような介装部材は、通常、カウンターの前垂れや側面パネル等により覆われて外側から視認できないことを前提に配設されている。
【０００３】
ところが、近年ではインテリア性や家族とのコミュニケーションの観点から、所謂対面型やアイランド型等のオープンカウンターキッチンが多く採用されており、さらにはバックガード，水返しや前垂れのないカウンターが使用されている。このため、介装部材の一部をシステムキッチンの外観部品として積極的に露出させてデザイン性を向上させたいという希望がある。
【特許文献１】特開平１１−３３２６７９号公報
【特許文献２】実開平０７−０１３２３７号公報
【発明の開示】
【発明が解決しようとする課題】
【０００４】
しかしながら、外側から視認できないことを前提にした従来の介装部材はキャビネットの上面周縁に沿って取り付ける際に位置ずれが生じることがある。このため、従来の介装部材をそのまま配置しただけでは、キャビネットやカウンターの周縁と介装部材との間隔がシステムキッチンの場所によって異なってしまいシステムキッチンの見栄えが損なわれてしまう。このような課題は、上述のシステムキッチンに限らず、組立式の洗面カウンター、各種の作業又は事務用のカウンターなど、種々のシステム家具にも同様に存在する。
【０００５】
本発明は、以上の点に鑑みて創作されたものであり、簡単な構成により、介装部材をキャビネットの上面周縁に容易に且つ正確に位置決めし得るシステム家具を提供することを目的としている。
【課題を解決するための手段】
【０００６】
上記目的を達成するために、本発明は、キャビネットと、キャビネットの上に配設したカウンターと、外側から視認できるようにキャビネットとカウンターとの間でキャビネットの上面周囲に沿って配置した介装部材と、を備えたシステム家具であって、介装部材が下面に位置決め部を備えていて、位置決め部がキャビネットの上縁に当接して配置されていることを特徴としている。
本発明のシステム家具において、好ましくは、位置決め部が凸部で成っており可撓性を有する。さらに、外側から視認される介装部材の表面領域は分離可能な別体として構成されてもよい。
【発明の効果】
【０００７】
上記介装部材の取り付けは、介装部材をキャビネットの上面周縁の所定の取付位置よりやや外側に載置した後、介装部材全体をキャビネットの上面周縁内側へ摺動させて、介装部材の位置決め部をキャビネットの上面周縁に当接させる。よって、介装部材はキャビネットの上面周縁に対して所定の取付位置に容易に且つ正確に位置決めされる。このようにして、介装部材を所定の取付位置に設定することで、システムキッチン，カップボード等のシステム家具のデザイン性が向上する。
【０００８】
このように、外側から視認できる部分において、介装部材がキャビネットの周縁に対して正確に位置決めされているので、介装部材の表面はキャビネット周縁に対する相対位置精度が高くなり、外観上の見栄えが向上することになる。また、システム家具の施工作業が容易になる。
【０００９】
介装部材の位置決め部が可撓性を有する凸部で成っている場合には、完成した状態のシステムキッチンにおいて、シンクキャビネット等の特定のベースキャビネットを外側に引き出そうとしたとき、位置決め部が弾性変形する。従って、カウンターを外すことなく、特定のベースキャビネットだけを交換することが可能になり、例えばシンクキャビネットの取り替え時にはこのシンクキャビネットだけを容易に交換することができる。よって、キャビネット交換の作業が短時間で、そして低コストで行える。
【００１０】
また、介装部材の外側から視認できる部分の表面領域が分離可能な別体として構成されていると、このような別体の表面領域に関して、互いに異なるデザインの複数種類の部品として用意しておくことにより、所望の表面領域を形成する部品を介装部材に装着することによって、多数のデザインを表現することができる。また、表面領域が傷ついた場合には表面領域だけを交換することで補修することができる。さらにまた、表面領域だけを交換することで、システム家具の外観を変更することもできる。
【発明を実施するための最良の形態】
【００１１】
以下、図面に示した実施形態に基づいて本発明のシステム家具について詳細に説明するが、本発明でシステム家具とは、シンク，水栓，加熱調理装置（例えばガスコンロ，ＩＨクッキングヒーター）を備えたシステムキッチンのほか、システムキッチンに隣接して配置される作業台やカップボード等の厨房用装置品、或いは、洗面化粧台や各種の作業又は事務用の組立式装置品など、複数のユニットを工場のみならず設置場所でも組み立て得るようにした家具を含む。
図１は本発明の実施形態に係るシステム家具としてのシステムキッチン１０を示している。システムキッチン１０は、キャビネット１１上に配設したカウンター１２と、カウンター１２の上面の左端付近に設けたシンク１３と、カウンター１２の上面の右端付近に設けた加熱調理部１４と、さらにキャビネット１１とカウンター１２との間に配置した介装部材１５と、キャビネット１０の側面に取り付けた化粧サイドパネル１９と、を備えている。
【００１２】
キャビネット１１は、図１に示すように、複数個、図示の場合三個のベースキャビネット１１ａ，１１ｂ，１１ｃから構成されている。左端のベースキャビネット１１ａは、シンクキャビネットとして構成されており、カウンター１１のシンク孔１２ａに対応してカウンター１１の下面に取り付けたシンク１３を収容している。
【００１３】
カウンター１２は、細長い一枚の例えば人造大理石の板状部材から構成されており、シンク１３及び加熱調理部１４を受容するための開口、即ちシンク孔１２ａ及びコンロ孔が形成されている。
【００１４】
シンク１３は、上端の開口縁がほぼ長方形状に形成されていて、例えば人造大理石によって構成されている。図示例のシステムキッチン１０では、所謂左勝手として、カウンター１２の左端付近にシンク１３が設けられている。シンク１３は、カウンター１２の下面に接着等によって取り付けられている。
【００１５】
加熱調理部１４は、例えばガスコンロ，ＩＨクッキングヒーター等であって、図１のシステムキッチン１０ではカウンター１２の右端付近に配置されている。
【００１６】
介装部材１５は、ＰＳ（ポリスチレン）等のプラスチック材によって棒材として構成されていて、図２に示すように、キャビネット１１の上面周縁及び互いに隣接するベースキャビネット１１ａ，１１ｂ，１１ｃの間の境界に沿ってフレーム状に配置されている。なお、図２はカウンター１２の他に化粧サイドパネル１９を取り外した状態を示している。図２の例では、介装部材１５の端部同士が接着或いは溶着等によって接合していて、全体として三つの枠として構成されているが、介装部材１５同士を接合することなく、単に端部同士を対面させた状態でキャビネット１１に固定することも可能である。このような介装部材１５はその上に載置するカウンター１２を支持する。これにより、カウンター１２がキャビネット１１上面から上方へ所定高さ離間した位置に配設される。図３に示すように、システムキッチン１０の上端前縁において、カウンター１２の周縁部は、介装部材１５よりも外側へ突出するとともに、その下面を平坦にした水平部として構成されている。このような構成により、介装部材１５の外面が露呈する。なお、カウンター１２の周縁を介装部材１５の外面と面一になるように構成してもよい。カウンター１２の後縁や左右の側縁も同様に構成されている。なお、図３において符号１１ｄは扉を示す。
【００１７】
さらに、本実施の形態にあっては、キャビネット１１の上面周縁に沿って配置される介装部材１５は、図４に示すように、下面の前縁から所定距離ｄだけ内側の位置で下方へ突出した位置決め部１５ａを備えている。この位置決め部１５ａは介装部材１５の本体部１５０と一体にプラスチック材で形成されており、可撓性を発揮できるようにその厚み（介装部材長手方向と直交する水平方向における厚み）と高さ（介装部材長手方向と直交する鉛直方向の長さ）が選定されている。なお、異素材の同時成形手法により位置決め部１５ａだけ、あるいは位置決め部１５ａを含む領域だけをエラストマーやゴムとすることで、位置決め部１５ａの可撓性を高めることも可能である。
上記位置決め部１５ａは、例えば、介装部材１５の長手方向に沿って、図５（Ａ）に示すように筋状に、或いは、図５（Ｂ）に示すように同一直線上に短い筋が間欠的に並設するように形成されている。筋状又は間欠状の位置決め部１５ａは、介装部材１５の略全長に亙って形成してもよく、または介装部材１５の一部で少なくとも２カ所以上に形成されていればよい。
【００１８】
さらに、図４に示す介装部材１５には、外部に露呈する表面領域において、分離可能な別体の化粧部材１６が設けられている。即ち、介装部材１５は、本体部１５０と、それに脱着可能な化粧部材１６とから構成されている。この化粧部材１６は、図示の場合、例えばシルバーメタリック色のＡＢＳ樹脂から構成され、本体部１５０の外面に対向する裏面に、本体部１５０の外面に設けた凹状の係合部１５ｂと係合する凸状の係合爪１６ａを備えている。さらに、化粧部材１６の表面１６ｂは凹凸状に形成されていて、その上を薄いアクリル樹脂のクリア層１６ｃが覆っている。なお、表面１６ｂのデザイン形状は図示例に限定されるものではない。このような構成によって、介装部材１５を外側から観察した場合、クリア層１６ｃを介して化粧部材１６のデザイン形状を視認できる。
【００１９】
介装部材１５の上部の内側は、図３に示すように、カウンター１２の下面に取り付けたシンク１３の上面周縁と干渉しないように切欠き部１５ｄが形成されて、全体としてＬ字状の断面で成っている。また、介装部材１５の上面の化粧部材１６との境界付近には、密着部材１７を受容するための凹陥部１５ｃが形成されている。密着部材１７は、例えば発泡ゴム等の軟質弾性材料で形成され、介装部材１５の上にカウンター１２が載置されたとき、この密着部材１７が圧縮変形することで介装部材１５とカウンター１２との境に隙間が生じることを防止している。なお、介装部材１５の凹陥部１５ｃに隣接した上面と下面とに形成された凹凸部１５ｅは、それぞれカンウター１２の下面とキャビネット１１の上面との間での滑り止め用の粗面である。同様に、化粧部材１６の上下面に付与された凹凸部１６ｄも滑り止め用の粗面であるが、下面の粗面化は必ずしも必須ではない。
【００２０】
本実施形態に係るシステムキッチン１０は以上のように構成されており、カウンター１２は下記に示すようにしてキャビネット１１の上に組み立てられて配設される。
先ず、キャビネット１１の上面周縁及び個々のベースキャビネット１１ａ，１１ｂ，１１ｃの間の境界に沿って、介装部材１５が配置される。その際、キャビネット１１の上面周縁に沿って配置される介装部材１５は、その下面から突出する位置決め部１５ａがキャビネット１１の上面周縁の角部に当接することで、その位置が規制される。これにより、介装部材１５は、容易に且つキャビネット１１の上面周縁に対する高い相対位置精度で位置決めされることになる。位置決め後、介装部材１５は、ねじ等によってキャビネット１１に固定される。
【００２１】
次いで、介装部材１５の上からカウンター１２が載置されることにより、カウンター１２が介装部材１５を介してキャビネット１１上に保持される。これによりカウンター１２は適正な高さ位置に配設されることになる。
【００２２】
このようにして組み立てられたシステムキッチン１０において、介装部材１５がキャビネット１１の上面周縁に対して正確に位置決めされると共に、この介装部材１５はキャビネット１１とカウンター１２との間で露呈することになる。これにより、キャビネット周縁から水平方向に突出する介装部材１５の突出量が、介装部材１５の長さ方向の何れの位置でも均一になるので、外観上の見栄えが向上する。
【００２３】
また、化粧部材１６は、介装部材１５に対して着脱可能に装着されているので、そのデザイン形状１６ｂ及び材料の色を複数種類用意しておくことにより、所望のデザイン及び色を選択することが可能になると共に、化粧部材１６だけを容易に交換することが可能である。ここで、介装部材１５自体は、共通に使用することができることから、化粧部材１６のみを複数種類用意することにより、全体のコストを低減することができる。
【００２４】
さらに、システムキッチン１０においては、特に水回りとなるシンクキャビネット１１ａは、長期間の使用により傷んでしまい、このシンクキャビネット１１ａのみを交換したい場合がある。このような場合、介装部材１５の位置決め部１５ａが可撓性を有するので、図６に示すようにして、キャビネットを引き出すことができるので、カウンター１２を取り外すことなく、特定のキャビネット、この場合シンクキャビネット１１ａだけを交換することができる。
【００２５】
先ず、交換前のシステムキッチン１０では、図６（Ａ）に示すように、シンクキャビネット１１ａの上面周縁の角が位置決め部１５ａに当接している。この状態で、他のキャビネット１１ｂ、後壁面等に対するネジ等の取付手段を取り外す。続いて、図６（Ｂ）に示すように、シンクキャビネット１１ａを矢印Ａ方向に引き出すと、介装部材１５の下方に突出する位置決め部１５ａがシンクキャビネット１１ａの移動に伴って、弾性変形する。これにより、介装部材１５を破損することなく、シンクキャビネット１１ａの矢印Ａ方向への引出しが可能となる。その後、図６（Ｃ）に示すように、シンクキャビネット１１ａが完全に引き出されると、位置決め部１５ａは弾性に基づいて元の状態に復元する。
【００２６】
また、新しいシンクキャビネット１１ａをカウンター１２の下方の所定位置に押し込む場合には、同様にして、位置決め部１５ａが矢印Ａ方向と逆方向に弾性変形する。これにより、介装部材１５を破損することなく、新しいシンクキャビネット１１ａをカウンター１２の下側に入れることができる。このようにして、システムキッチン１０のカウンター１２を取り外すことなく、ベースキャビネット１１ａ，１１ｂまたは１１ｃを容易に交換することが可能となる。
【００２７】
図７は本実施形態の第一変形例に係る介装部材２０を示す図である。図７（Ａ）において、介装部材２０は、図４に示した介装部材１５とほぼ同様の構成であるので、同じ構成要素には同じ符号を付して、その説明を省略する。介装部材２０は、前述した介装部材１５における凸状の位置決め部１５ａの代わりに、段部２１を備えていることを特徴としている。段部２１は、図７（Ｂ）に示すように、介装部材２０の長手方向に沿って連続的に形成されている。このような構成の介装部材２０を用いても、図４に示した介装部材１５と同様に、介装部材２０がキャビネット１１の上面周縁に対して正確に且つ容易に位置決めされる。なお、図７（Ｂ）は介装部材２０の下部を側面視、即ち図７（Ａ）において左側から介装部材２０の下部を見た部分側面図である。
【００２８】
図８は本実施形態の第２変形例に係る介装部材３０を示す図である。図８において、介装部材３０は、図４に示した介装部材１５とほぼ同様の構成であるので、同じ構成要素には同じ符号を付して、その説明を省略する。介装部材３０は、前述した介装部材１５における外面に、長手方向に延びる凹部３１を備えていることを特徴としている。
【００２９】
このような構成の介装部材３０によれば、凹部３１内に発光素子を設けることができて、介装部材３０の表面を構成する化粧部材１６が発光素子により裏面から照明されることになり、キャビネット１１とカウンター１２との間がライン状に光り、システムキッチン１０をより一層美しく見せることができる。
【００３０】
以上説明したが、本発明はその趣旨を逸脱しない範囲において様々な形態で実施をすることができる。例えば、介装部材１５，２０，３０自体に好ましいデザインを施すことで、化粧部材１６を省略することができる。介装部材１５，２０，３０の断面形状は図示例に限定されるものではない。さらに、本発明は、カウンター１２の周縁が下方に垂下して介装部材１５，２０，３０の表面領域の少なくとも上側が外部から遮蔽されるように、表面領域の一部だけが外部から視認できるような態様にも適用できる。また、外部から視認できるようにキャビネットとカウンターとの間に介装着部材を備えたカップボード，作業台等、他の種々のシステム家具にも本発明を適用することができる。
【図面の簡単な説明】
【００３１】
【図１】本発明の実施形態に係るシステムキッチンの構成を示す概略斜視図である。
【図２】図１のシステムキッチンからカウンターを除いて介装部材を露出した状態を示す概略斜視図である。
【図３】図２に示すシステムキッチンにおいてカウンター前縁付近の部分断面図である。
【図４】図２に示す介装部材の断面図である。
【図５】図４に示す介装部材における位置決め部の配置を示す底面図である。
【図６】図１に示すシステムキッチンにおけるキャビネットの取り外し作業を順次に示すカウンター前縁付近の部分断面図である。
【図７】本実施形態の第１変形例に係る介装部材を示し、（Ａ）は拡大断面図、（Ｂ）は底面図である。
【図８】本実施形態の第２変形例に係る介装部材を示す拡大断面図である。
【符号の説明】
【００３２】
１０    システムキッチン
１１    キャビネット
１１ａ  シンクキャビネット
１２    カウンター
１２ａ  シンク孔
１２ｂ  コンロ孔
１２ｃ  凹部
１３    シンク
１４    加熱調理部
１５，２０，３０    介装部材
１５ａ  位置決め部
１５ｂ  係合部
１５ｃ  凹陥部
１５ｄ  切欠き部
１６    化粧部材
１６ａ  係合爪
１６ｂ  デザイン形状
１６ｃ  クリア層
１７    密着部材
２１    段部（位置決め部）
３１    凹部
【図１】
2008178560.tif 000003
【図２】
2008178560.tif 000004
【図３】
2008178560.tif 000005
【図４】
2008178560.tif 000006
【図５】
2008178560.tif 000007
【図６】
2008178560.tif 000008
【図７】
2008178560.tif 000009
【図８】
2008178560.tif 000010